(57)【特許請求の範囲】
【請求項１】
平板状の複数の端子が該端子の板面と平行な方向でハウジングの対応収容溝部へ収容されており、該端子は、フラットケーブルに接触する接触部と回路基板の対応回路部に接続される接続部とを有し、複数の端子が板面に直角な方向に平行配置され且つ接続部が同一側に配列され、ハウジングには、上記複数の端子の上記接触部上にフラットケーブルを挿入配置するための開口部が上記接続部と反対側に形成され、該開口部にフラットケーブルを接触部へ押圧するための可動片が可動支持されている電気コネクタにおいて、接続部はハウジング底面外に突出した部分の端面で形成され上記回路部に接面する接続面を有し、隣接する端子の接続面同士は、端子のハウジングへの収容方向で互いにずれて位置しており、複数の端子は異種の端子群から成り、少なくとも一つの端子群に属する端子は、接続部の少なくとも一部がハウジング内に収容され、該接続部は端面をなす接続面の部分がハウジング底面外に露呈し、接触部に対して離れる方向に上記接続面から鋭角に立ち上がる切欠溝を有していることを特徴とする回路基板用電気コネクタ。
【請求項２】
隣接する端子の接続面同士は、互いにハウジングへの収容方向での範囲が重ならない位置でずれていることとする請求項１に記載の回路基板用電気コネクタ。
【請求項３】
複数の端子は、異種の端子群から成り、一つの端子群に属する端子と他の端子群に属する端子とが交互に配置されていて端子収容方向で互いにずれて位置していることとする請求項１又は請求項２に記載の回路基板用電気コネクタ。
【請求項４】
異種の端子群の端子は、接触部から接続部までの距離がほぼ同じであることとする請求項３に記載の回路基板用電気コネクタ。
【請求項５】
平板状の複数の端子が該端子の板面と平行な方向でハウジングの対応収容溝部へ収容されており、該端子は、フラットケーブルに接触する接触部と回路基板の対応回路部に接続される接続部とを有し、複数の端子が板面に直角な方向に平行配置され且つ接続部が同一側に配列され、ハウジングには、上記複数の端子の上記接触部上にフラットケーブルを挿入配置するための開口部が上記接続部と反対側に形成され、該開口部にフラットケーブルを接触部へ押圧するための可動片が可動支持されている電気コネクタにおいて、接続部はハウジング底面外に突出した部分の端面で形成され上記回路部に接面する接続面を有し、隣接する端子の接続面同士は、端子のハウジングへの収容方向で互いにずれて位置しており、複数の端子は異種の端子群から成り、一つの端子群に属する端子と他の端子群に属する端子とが交互に配置されていて端子収容方向で互いにずれて位置していると共に、上記一つの端子群の接続部がハウジング外そして他方の端子群の接続部の少なくとも一部がハウジング内にあり、この他方の端子群の各端子を収める収容溝部のみがハウジング底部に開口せる切欠部に連通しており、該切欠部に対応せる他方の端子の接続部が収められていることを特徴とする回路基板用電気コネクタ。
【発明の詳細な説明】
【０００１】
【発明の属する技術分野】
本発明は、回路基板用電気コネクタに関する。
【０００２】
【従来の技術】
この種のコネクタとしては、特開平０７−１４２１３０に開示されている形式のものが知られている。
【０００３】
この公知のコネクタは、複数の端子がそれぞれ平板状金属材の板面をそのまま残して打抜き加工によって外形が与えられており、互いに板面同士が平行となるように定間隔でハウジングに挿入されて収められている。
【０００４】
上記複数の端子は同一形状に作られており、ハウジング外に突出している接続部は、その下端面が接続面として形成され、この接続面が回路基板の対応回路部と接面して、半田によって接続される。又、端子には、ハウジング内にあって可撓性腕状部の先端部に接触部を有し、ハウジングの開口部から挿入されるフラットケーブルが複数の端子の上記接触部上に配置されるようになっている。そして、開口部にて回動自在に支持された可動片の閉位置への回動により、上記フラットケーブルが接触部と弾性接触する。
【０００５】
かかる複数の端子の上記接続面同士は、端子のハウジングへの挿入方向にて同一位置にあって、上記定間隔で平行に位置している。
【０００６】
【発明が解決しようとする課題】
この種のコネクタは、多くの端子を備えることができるようにするために、小型化が望まれる。端子は、平板状をなしているので、互いの間隔を小さくすれば、高密度配置ができて、コネクタの小型化を可能とする。
【０００７】
しかし、製作上において小型化が可能であっても、接続面同士が密に接近するので、使用時に半田等の流れにより短絡してしまうことがあり、かかる使用上の理由で小型化に限界があった。
【０００８】
本発明は、このような事情に鑑み、高密度化可能性を十分に活かして、使用時にも何ら問題がなく、小型化可能な回路基板用電気コネクタを提供することを目的とする。
【０００９】
【課題を解決するための手段】
本発明に係る回路基板用電気コネクタは、平板状の複数の端子が該端子の板面と平行な方向でハウジングの対応収容溝部へ収容されており、該端子は、フラットケーブルに接触する接触部と回路基板の対応回路部に接続される接続部とを有し、複数の端子が板面に直角な方向に平行配置され且つ接続部が同一側に配列され、ハウジングには、上記複数の端子の上記接触部上にフラットケーブルを挿入配置するための開口部が上記接続部と反対側に形成され、該開口部にフラットケーブルを接触部へ押圧するための可動片が可動支持されている。
【００１０】
かかる回路基板用電気コネクタにおいて、本発明では、接続部はハウジング底面外に突出した部分の端面で形成され上記回路部に接面する接続面を有し、隣接する端子の接続面同士は、端子のハウジングへの収容方向で互いにずれて位置しており、複数の端子は異種の端子群から成り、少なくとも一つの端子群に属する端子は、接続部の少なくとも一部がハウジング内に収容され、該接続部は端面をなす接続面の部分がハウジング底面外に露呈し、接触部に対して離れる方向に上記接続面から鋭角に立ち上がる切欠溝を有していることを特徴としている。
【００１１】
このように、本発明では、隣接せる端子の接続面同士が端子の収容方向に互いにずれて位置しているので、上記の収容方向にて同一位置にある複数の端子の接続面同士の間隔が、少なくとも隣接端子間隔の二倍となって広くなる。その結果、端子を高密度配置しても上記接続部の回路基板上での半田には何ら問題なく行われる。又、接続部がハウジング内に収められる端子には、接触部に対して離れる方向に上記接続面から鋭角に立ち上がる切欠溝を有しているようにしたので、接続部での溶融半田が接触部の方へ向うこともなくなる。さらには、接続部がハウジングに収められている分だけ、コネクタの小型化も図れる。
【００１２】
本発明において、隣接する端子の接続面同士は、互いにハウジングへの収容方向での範囲が重ならない位置でずれていることが望ましい。上記接続部同士は、収容方向で部分的にずれているようにするだけでも、半田の流れによる影響を小さくできるが、上記収容方向で重ならない位置までずれていると、より確実に半田の流れによる影響は防止できる。
【００１３】
複数の端子は、異種の端子群から成り、一つの端子群に属する端子と他の端子群に属する端子とが交互に配置されていて端子収容方向で互いにずれて位置しているようにすることができる。こうすることにより、一つの端子群と他の端子群のすべての端子を収容方向で同一の収容位置まで挿入しても、あるいは、同一位置に接触部を位置せしめるようにしても、接続部の位置だけずれて形成しておけば、隣接接続面同士は収容方向で所定距離だけずれるようになる。
【００１４】
さらに、本発明では、異種の端子群は二種から成り、一方の端子群の接続部がハウジング外そして他方の端子群の接続部がハウジング内にあり、この他方の端子群の各端子を収める収容溝部のみがハウジング底部に開口せる切欠部に連通しており、該切欠部に対応端せる他方の端子の接続部が収められているようにすることができる。他方の端子群に対しては、収容溝部が底面に開口せる切欠部と連通しているが、一方の端子群のための収容溝部には切欠部が形成されていないので両隣りの端子の接続部間で壁を形成するようになり、隣接する二種の端子の接続部間での溶融半田による短絡は防止される。
【００１５】
接続部はハウジング内にあっても、接続面の部分がハウジング外に露呈していれば、それで十分である。
【００１６】
異種の端子群の端子は、接触部から接続部までの距離がほぼ同じであることが望ましい。こうすることにより電気長（信号伝達長）が同じとなって、特に高速伝送の場合、信号の電気特性や伝達時間が乱れなくなる。
【００１７】
【発明の実施の形態】
図１（Ａ），（Ｂ）に示される本発明の一実施形態のフラットケーブル用電気コネクタにおいて、ハウジング１０に二種の端子２０，３０がそれぞれ複数保持されている（端子２０については図１（Ａ）、端子３０については図１（Ｂ）を参照）。端子２０，３０は金属板の抜き加工等により作られ、紙面に平行な平らな面を維持していおり、二種の端子２０，３０が紙面に直角な方向に所定間隔をもって交互に位置するように配列されている。かかる端子２０，３０は、図にて右方から、ハウジング１０に形成された紙面に平行なスリット状の対応収容溝１１，１２内へそれぞれ圧入されている。
【００１８】
二種のうちの一方の端子２０は、図１（Ａ）のごとく、上腕部（支持腕部）２１と下腕部２２そして接続部２３を有しており、上腕部２１と下腕部２２はハウジング１０の対応収容溝１１を形成する上壁部１３と下壁部１４の内面に沿って位置し、接続部２３は上記下壁部１４の位置から右方向にハウジング１０外へ突出している。上記上腕部２１は基部領域の上縁に係止突起２１Ａ，２１Ｂを有し、右方からの端子２０の所定位置までの挿入時にハウジング１０の上壁部１３の内面に喰い込んで抜けの防止を図っている。該上腕部２１は、紙面内での撓みに関し、比較的剛性が高く、特に下腕部２２との比較において剛性が高い。この上腕部２１の先端部２４は、高さ方向に幅広となっており、その上縁２４Ａは上記ハウジング１０の上壁部１３の下面（内面）よりも上方（外側）に位置している。又、上記上縁２４Ａから上腕部２１の中間部への移行部は、なだらかな斜面による肩部２４Ｂが形成されている。
【００１９】
上記先端部２４の下部には凹湾曲した溝状の回動支持部２５が形成されている。この回動支持部２５は、後述する可動片を回動可能に支持するためのもので軸受の機能を有する。この回動支持部２５の溝底と上縁２４Ａとの距離は、上縁２４Ａがハウジング１０の上壁部１３の下面より上方にありハウジングの上面近傍にまで及んでいるため、十分な幅を確保しており、この周辺での強度は十分なものとなっている。
【００２０】
端子２０の下腕部２２は、上腕部２１に比し幅（図での高さ寸法方向）が狭くなっていて、紙面に平行な面での可撓性を有している。該下腕部２２の下縁、特に先端寄りの部分では上方に傾斜した斜部２２Ａを有している。そして、先端には、上記上腕部２１の回動支持部２５の方に向け突出した接触部２６が形成されている。該下腕部２２の基部２２Ｂは、ハウジング１０の下壁部１４の内面に圧入されて下壁部１４からの反力で上腕部２１の係止突起２１Ａ，２１Ｂを上壁部１３へ圧している。したがって、左右方向で、基部２２Ｂと係止突起２１Ａ，２１Ｂが対向する位置にあることが好ましく、更には基部２２Ｂの範囲と係止突起２１Ｂの範囲が同じ位置にあることが望ましい。
【００２１】
端子の接続部２３は、下腕部２２の上記基部２２Ｂから右方へハウジング外に延出した位置に設けられている。この接続部２３は下端面がハウジング１０の底面から若干下方に突出して位置しており、この下端面が接続面２３Ａを形成している。この接続面２３Ａは、ハウジングが回路基板（図示せず）の所定位置に配置されたときに、回路基板の対応回路部上に位置し、半田により該回路部と接続されるようになる。
【００２２】
次に、二種のうちの他方の端子３０も、上記端子２０と同様に、上腕部３１，下腕部３２そして接続部３３を有しているが、それらの形態が端子２０の場合と若干相違している。
【００２３】
上記上腕部３１は、該上腕部３１の先端に設けられた回動支持部３５が上記端子２０の回動支持部２５のように凹湾曲されておらず、先端が丸味を帯びた形状となっているだけである。又、上記上腕部３１に形成された二つの係止突起３１Ａ，３１Ｂは、後述の下腕部３２との関係で、上記端子２０の上腕部２１の場合よりもハウジング内方、すなわち左方に位置している。
【００２４】
可撓性を有する上記下腕部３２は、上記端子２０の下腕部２２に比し長く作られていて、その先端に上方に突出する接触部３６を有している。この下腕部３２の基部３２Ｂは上記端子２０の基部２２Ｂよりも左方に位置しており、したがって、上記上腕部３１の係止突起３１Ａ，３１Ｂも、これに対応して、左右方向にてこの基部３２の範囲にある。
【００２５】
上記端子３０の接続部３３は、ハウジング１０内にある。該ハウジングの収容溝１２の下縁をなす下壁部１４が右端寄りの部分で切欠部１４Ａを形成していて、該切欠部１４Ａの範囲内で上記接続部３３がハウジング内に収められている。該接続部３３は、端子２０の場合と同様に下端面が接続面３３Ａを形成しているが、この接続面３３Ａはハウジングの底面（下壁部１４の下面）１４Ｂよりも下方に若干突出して位置している。
【００２６】
接続部３３は接続面３３Ａから鋭角に立ち上がる切欠溝３３Ｂにより外形づけられている。この端子３０の接続部３３は紙面に平行なスリット状の収容溝１２内にあるために、接続面３３Ａでの半田の際に、接続部３３と収容溝１２との間の隙間へ毛細管現象でフラックスが進入してくる傾向にある。このフラックスが接触部３６の方へ達することは好ましくない。そこで、図１（Ｂ）では上記切欠溝３３Ｂが接触部３６から離れる方向に鋭角をもって立ち上がり、上方へ行くにしたがい接触部３６から離れる方向、すなわち右方に向いている。したがって、仮りにフラックスが上昇しても接触部へ達することがない。又、接続部３３はハウジング内にあるので、この様子を目視により確認することが困難であるが、その場合でも、接触部への影響がないので安心して半田ができる。
【００２７】
かくして、配列方向で交互に配置された端子２０と端子３０の接続面２３Ａ，３３Ａは、平面図である図２に見られるように端子の収容方向に互いにずれて位置し、千鳥状をなした配置形態となる。これらの接続面２３Ａ，３３Ａは、回路基板上に同様に千鳥状に配置された回路部Ｐ上に対応して位置しているようになる。
【００２８】
図１（Ａ），（Ｂ）では、異種の端子２０，３０が交互に配列されていて、それらの接触部２６，３６は左右方向にて異なる位置にあり、平面図でみたときにはこれらは千鳥状となる。これは、フラットケーブルとの接触に関しては、フラットケーブルの広い領域で接触がなされるので好ましい。その場合、端子２０の接触部２６から接続部２３までの距離と、端子３０の接触部３６から接続部３３までの距離とが異なると、高速伝送の場合、電気長（信号伝送長）が相違して電気的特性の低下や伝送時間の乱れが生じ好ましくない。図示の例では、接続部２３，３３の位置ずれに相当する距離だけ接触部２６，３６をもずらして位置せしめることにより、接触部と接続部との距離が二種の端子間に生じないようになっている。
【００２９】
ハウジング１０は、既述したように、金属板から形成されその板面を維持している上記端子２０，３０を右方から挿入するためのスリット状の収容溝１１，１２が紙面に平行にそれぞれの端子の数だけ交互に形成されている。収容溝１１，１２の上端そして下端を形成するハウジング１０の上壁部１３そして下壁部１４は上記端子２０，３０の挿入位置を定める。下腕部２２，３２の基部２２Ｂ，３２Ｂが下壁部１４の内面に接し、既述のごとく、上腕部２１，３１の係止突起２１Ａ，２１Ｂ；３１Ａ，３１Ｂがハウジングの上壁部１３に喰い込んで、端子位置を確保すると共に抜けを防止する。
【００３０】
上記ハウジング１０には、フラットケーブルＣを左方からハウジング１０内へ挿入するためのケーブル溝１５が形成されている。該ケーブル溝１５はフラットケーブルＣの幅（紙面に直角な方向の寸法）、すなわち複数の両端子の配列範囲の距離にほぼ等しい幅をもって、両端壁間で上記複数の収容溝１１，１２を貫くように連通している。
【００３１】
又、上記ハウジング１０には、上記ケーブル溝１１，１２の上方が開口されており、開口部１６を形成している。該開口部１６は、左右方向では、左方に開放され右方はハウジング１０の上壁部１３の左端部にまで及び、上下方向では、上述のごとくケーブル溝１５より上方が開放されている。
【００３２】
上記ハウジング１０の開口部１６には、絶縁材で作られた可動片４０が配置されている。該可動片４０は、図１（Ａ），（Ｂ）の閉位置とこの位置から矢印Ａ方向に所定角だけ回動した開位置との間を往復回動自在に、端子２０，３０の上記回動支持部２５，３５により支持されている。上記可動片４０は、先端側の操作部４１と、逆側の溝部４２，４３とを有している。操作部４１は可動片１５に回動力を与えるための部分であり、溝部４２，４３は端子２０，３０の上腕部２１，３１の先端部分を収めるためのものである。したがって、溝部４２，４３は上腕部２１，３１のそれぞれに対応したスリット形状をなしこれらを交互に配した櫛歯状をなしている。そして、一方の溝部４２内に軸部４４が設けられていて、該軸部４４が端子２０の回動支持部２５によって、もう一方の溝部４３内に直状部４５が回動支持部３５に接面するように設けられていて、それぞれ回動自在に支持されている。
【００３３】
以上のごとくの本実施形態のコネクタは、次の要領で使用される。
▲１▼  先ず、コネクタを回路基板（図示せず）上の所定位置へ配置し、端子２０，３０の接続部２３，３３をそれらの接続面２３Ａ，３３Ａで回路基板の対応回路部Ｐと半田等により接続する。その場合、図２から明らかなように、隣接せる二種の端子２０，３０の接続面２３Ａ，３３Ａは図２にて上下にずれているので、半田は同種の端子の隣接接続面２３Ａ同士あるいは接続面３３Ａ同士の間隔をもって行える。これは、隣接せる端子２０，３０の間隔の二倍に相当する。したがって、端子２０，３０が高密度に配列されても、半田の流れによる短絡の心配はない。
▲２▼  次に、可動片４０を、図１（Ａ），（Ｂ）に示される矢印Ａ方向へ回動して開位置にもたらす。
▲３▼  可動片４０が開位置にあると、開口部１６は左方に大きく開放された状態が確保される。したがって、フラットケーブルＣの挿入側からケーブル溝１５の入口（挿入空間）が良く見出される。作業者は、フラットケーブルＣを、接続面が下面となるようにして、このケーブル溝１５へ挿入し、ケーブル先端が溝奥壁と当接するまで挿入する。
▲４▼  所定位置までケーブルを挿入した後、可動片１５を矢印Ａとは逆方向に回動して該可動片１５を図１（Ａ），（Ｂ）に示される閉位置へもたらす。可動片４０はその加圧部４６でフラットケーブルＣを端子２０，３０のそれぞれの接触部２６，３６へ強く圧し、両者は電気的に接続される。
【００３４】
本発明は、図１の形態に限定されず、例えば二種の端子２０，３０の接続部２３，３３を、端子の収容方向にて、図１とは異なる位置に配置することができる。図３（Ａ），（Ｂ）では、端子２０，３０の接続部２３，３３はハウジング１０内に収められている。ハウジング１０の収容溝１１，１２の下壁部１４には、図１（Ｂ）のように切欠部１４Ａが形成されていて、下端面である接続面２３Ａ，３３Ａがこの切欠部１４Ａにてハウジングの底面（下壁部１４の下面）１４Ｂよりも下方に若干突出して位置している。この場合でも、接続面２３Ａ，３３Ａは、端子の収容方向たる左右方向で互いにずれて位置しており、したがって、上記切欠部１４Ａもこれらの接続面２３Ａ，３３Ａに対応した範囲で形成されている。このように接続部２３，３３をハウジング内に収めるときには、該接続部２３，３３が収容溝１１，１２の側面で保持されるのでその保持強度が確実なものとなるのと同時に、左右方向に小型化される。
【００３５】
又、接続部をハウジング内に収める場合、接続部全域を収める必要はなく部分的でも上記効果は得られる。例えば、図４の例では、図４（Ａ）のごとく、一方の端子２０は図１（Ａ）の端子２０と全く同じであるが、もう一方の端子３０は、図４（Ｂ）にも見られるように、接続部３３は部分的にハウジング内に収められ残部はハウジング外に突出している。こうすることにより、接続部３３は収容溝１２での保持力が図１（Ｂ）の場合に比し若干低くなるが、それでも十分な保持力を得られ、ハウジング外にある分だけ半田確認がし易いという利点は得られる。又、接続面の位置を正確に規制することができる。
【００３６】
次に、図５（Ａ），（Ｂ）では、両端子２０，３０の接続部２３，３３が共にハウジング外に位置している。この場合は、左右方向にコネクタ寸法が大きくなり接続部での収容溝による保持力は得られないが、半田確認がきわめてやり易いという利点はある。回路基板上でコネクタの周囲に空間の余裕があるときに好適である。
【００３７】
さらには、本発明は二種の端子の場合には限定されず、三種以上のものでもよい。又、一種だけの場合は、隣接せる端子のハウジング内での収容位置をずらせば、十分に対応できる。いずれにしても隣接端子の接続面同士が収容方向でずれていれば良い。その際、接続面同士は、完全に重ならないようにずれているようにすることも、部分的にずれているようにすることも可能である。
【００３８】
又、本発明は、可動部材の形態に限定しない。図示の回動式でも、又直動式であっても良い。
【００３９】
【発明の効果】
以上のように、本発明は、板状の端子の接続部の端面で形成される接続面同士を、端子のハウジングへの収容方向にて、隣接端子の間でずらすこととしたので、複数の端子を高密度に配列しても、その配列方向での接続面同士の間隔は広く確保できるので、半田接続による使用時に何ら問題をもたらすことなく、端子の高密度化によるコネクタの小型化が可能となる。又、接続部がハウジング内に収められる端子には、接触部に対して離れる方向に上記接続面から鋭角に立ち上がる切欠溝を有しているようにしたので、接続部での溶融半田が接触部の方へ向うこともなくなる。さらには、接続部がハウジングに収められている分だけ、コネクタの小型化も図れる。
【図面の簡単な説明】
【図１】本発明の一実施形態のコネクタの断面図であり、（Ａ）は一つの端子での断面、（Ｂ）はこれに隣接せる端子での断面を示す。
【図２】図１のコネクタの端子の接続面の位置を示す平面図である。
【図３】図１のコネクタの変形例を示す断面図であり、（Ａ）は一つの端子での断面、（Ｂ）はこれに隣接せる端子での断面を示す。
【図４】図１のコネクタの他の変形例を示す断面図であり、（Ａ）は一つの端子での断面、（Ｂ）はこれに隣接せる端子での断面を示す。
【図５】図１のコネクタのさらに他の変形例を示す断面図であり、（Ａ）は一つの端子での断面、（Ｂ）はこれに隣接せる端子での断面を示す。
【符号の説明】
１０  ハウジング
１１  収容溝
１２  収容溝
１４Ｂ  ハウジング底面
１６  開口部
２０  端子
２３  接続部
２３Ａ  接続面
２６  接触部
３０  端子
３３  接続部
３３Ａ  接続面
３６  接触部
Ｃ  フラットケーブル
【図１】
0003771457.tif 000002
【図２】
0003771457.tif 000003
【図３】
0003771457.tif 000004
【図４】
0003771457.tif 000005
【図５】
0003771457.tif 000006